(57)【要約】本発明は、仮想現実メガネに関し、前記仮想現実メガネは、仮想現実コンテンツを再生するための外部電子機器と組立できるメガネ本体と、第１の端部に位置する第１の接続プラグと、第２の端部に位置する第２の接続プラグとを含むデータ接続線と、を備え、前記第１の接続プラグは、前記データ接続線と前記メガネ本体が着脱可能に接続されるように、前記メガネ本体における第１のインタフェースと結合し、前記第２の接続プラグは、前記外部電子機器の第２のインタフェースに適合される。本発明では、データ接続線が仮想現実メガネのメガネ本体から分離できるように、仮想現実メガネとデータ接続線とが着脱可能に接続され、これにより、ユーザは、異なるインタフェースタイプの外部電子機器に適合されるように、外部電子機器のインタフェースタイプに応じて仮想現実メガネに用いられるデータ接続線を交換でき、仮想現実メガネの汎用性を向上させる。【選択図】図１
2019527861.tif 000002
【特許請求の範囲】
【請求項１】
仮想現実コンテンツを再生するための外部電子機器と組立できるメガネ本体と、
第１の端部に位置する第１の接続プラグと、第２の端部に位置する第２の接続プラグとを含むデータ接続線と、を備え、
前記第１の接続プラグは、前記データ接続線と前記メガネ本体が着脱可能に接続されるように、前記メガネ本体における第１のインタフェースと結合し、前記第２の接続プラグは、前記外部電子機器の第２のインタフェースに適合される
ことを特徴とする仮想現実メガネ。
【請求項２】
前記メガネ本体は、ハウジングを備え、
ハウジングのユーザの顔を向いている表面は、第１の表面であり、ハウジングの前記外部電子機器を組み立てるための表面は、第２の表面であり、
前記第１のインタフェースは、ハウジングの側壁に位置する
ことを特徴とする請求項１に記載の仮想現実メガネ。
【請求項３】
前記ハウジングは、前記ハウジングの第１の表面側に形成される内部空間と前記ハウジングの第２の表面側に形成される外部とを導通する通気孔を備える
ことを特徴とする請求項２に記載の仮想現実メガネ。
【請求項４】
メガネ本体は、保護構造をさらに備え、
前記保護構造は、前記第１の表面と適合する貼合部と、ユーザの顔を向いている方向に沿って延在形成されたユーザの顔に適合する結合部と、を備える
ことを特徴とする請求項２に記載の仮想現実メガネ。
【請求項５】
前記保護構造は、緩衝性能を有する材質から作製される
ことを特徴とする請求項４に記載の仮想現実メガネ。
【請求項６】
前記データ接続線は、前記第１のインタフェースと前記第２のインタフェースとの間の離隔距離に適応するように、フレキシブル材料から作製される
ことを特徴とする請求項１に記載の仮想現実メガネ。
【請求項７】
前記メガネ本体のハウジングは、第１の溝を備え、前記第１のインタフェースは、前記第１の溝内に位置し、
前記データ接続線は、前記第１の端部に位置する第１の接続部と、前記第２の端部に位置する第２の接続部と、前記第１の端部と前記第２の端部との間に位置するデータ線本体と、を備え、
前記第１の溝は、前記第１の接続部及び前記データ線本体の少なくとも一部を収容できる
ことを特徴とする請求項１に記載の仮想現実メガネ。
【請求項８】
前記データ接続線は、前記第１の接続部及び前記データ線本体の少なくとも一部を、少なくとも包み、前記第１の溝に適合する射出成型部品をさらに備える
ことを特徴とする請求項７に記載の仮想現実メガネ。
【請求項９】
前記第１の接続プラグが前記第１の端部と前記第２の端部との接続方向に垂直であり、前記第１のインタフェースが前記第１の溝の底部に位置することにより、前記第１の接続プラグが前記ハウジングの表面に垂直な方向に沿って前記メガネ本体に接続できるようになり、
又は、前記第１の接続プラグが前記第１の端部と前記第２の端部との接続方向に平行し、前記第１のインタフェースが前記第１の溝の側壁に位置することにより、前記第１の接続プラグが前記ハウジングの表面に平行な方向に沿って前記メガネ本体に接続できるようになる
ことを特徴とする請求項７に記載の仮想現実メガネ。
【請求項１０】
前記データ接続線が前記メガネ本体に接続される場合、前記第１の接続部及び前記データ線本体の少なくとも一部の表面は、それぞれ前記メガネ本体のハウジングの表面と面一になる
ことを特徴とする請求項７に記載の仮想現実メガネ。
【請求項１１】
前記外部電子機器を前記メガネ本体に締結するための締結構造をさらに備え、
前記締結構造は、第１の締結部、第２の締結部及び伝動部を備え、前記伝動部の両端は、前記第１の締結部及び前記第２の締結部のうちのいずれかの一方が予め設けられた方向に向けて移動する場合に、他方が前記予め設けられた方向の反対方向に向けて連動するように駆動できるように、それぞれ前記第１の締結部及び前記第２の締結部に結合される
ことを特徴とする請求項１に記載の仮想現実メガネ。
【請求項１２】
前記第１の締結部及び前記第２の締結部は、それぞれラックを備え、前記ラックは、前記第１の締結部及び前記第２の締結部が連動を発生できるように、それぞれ前記伝動部の両端のギヤに噛合する
ことを特徴とする請求項１１に記載の仮想現実メガネ。
【請求項１３】
前記伝動部は、
前記第１の締結部と結合する第１の伝動部材と、
前記第２の締結部と結合する第２の伝動部材と、
前記第１の伝動部材及び前記第２の伝動部材に結合し、前記第１の締結部と前記第２の締結部との間に連動を発生するように、前記第１の伝動部材及び前記第２の伝動部材を連動させる第３の伝動部材と、を備える
ことを特徴とする請求項１１に記載の仮想現実メガネ。
【請求項１４】
前記第３の伝動部材は、前記第１の伝動部材及び前記第２の伝動部材とそれぞれ結合する第１の伝動軸及び第２の伝動軸と、前記第１の伝動軸及び前記第２の伝動軸と結合する結合素子と、を備え、ここで、前記第１の伝動軸と前記第２の伝動軸の回動方向は、相反である
ことを特徴とする請求項１３に記載の仮想現実メガネ。
【請求項１５】
前記結合素子は、
少なくとも１組の互いに噛合するベベルギヤセット及びモータのうちの少なくとも１つを備える
ことを特徴とする請求項１４に記載の仮想現実メガネ。
【請求項１６】
前記データ接続線の第２の端部は、前記第１の締結部に着脱可能に接続され、ここで、前記第１の締結部と前記データ接続線の第１の端部との間の距離は、前記第２の締結部と前記データ接続線の第１の端部との間の距離より小さい
ことを特徴とする請求項１１に記載の仮想現実メガネ。
【請求項１７】
前記第１の締結部は、前記第２の接続プラグが予め設けられた最大傾斜開き角度と水平締結角度の間で回動するようにさせることができ、
前記第１の締結部は、前記水平締結角度で前記外部電子機器の前記第２のインタフェースを備える一端に対して締結を行うことができ、
前記第２の締結部は、前記外部電子機器における前記第２のインタフェースに対向して設けられる一端に対して締結を行うことができる
ことを特徴とする請求項１１に記載の仮想現実メガネ。
【請求項１８】
前記第１の締結部は、
前記水平締結角度で前記外部電子機器の一端に対して締結を行うことができる第１の締結台と、
前記第１の締結台が最大傾斜開き角度と水平締結角度の間で回動するように、前記第１の締結台とヒンジ接続され、且つ、前記第１の締結台が前記メガネ本体上で往復運動を行うように、前記メガネ本体における第１のシュータに対して摺動できる第１の可動板と、を備える
ことを特徴とする請求項１７に記載の仮想現実メガネ。
【請求項１９】
前記データ接続線は、前記第１の端部に位置する第１の接続部と、前記第２の端部に位置する第２の接続部と、前記第１の端部と前記第２の端部との間に位置するデータ線本体と、を備え、前記第１の締結部は、前記データ接続線の第２の接続部が前記第１の締結部に接続されるように、前記第２の接続部を収容するための収容空間を備える
ことを特徴とする請求項１１に記載の仮想現実メガネ。
【請求項２０】
前記第２の接続部は、第１の締結部と締結して組み立てられるように、前記収容空間と締り嵌めており、
又は、前記収容空間は、前記収容空間を形成する側壁に位置するバンプを備え、前記第２の接続部は、前記バンプに適合される第２の溝を備えることにより、前記第２の接続部と前記第１の締結部とが前記バンプと前記第２の溝との嵌合によって締結組立を行うことができる
ことを特徴とする請求項１９に記載の仮想現実メガネ。
【請求項２１】
前記収容空間は、前記第１の締結部の前記メガネ本体から離れている表面が前記メガネ本体の内部に向く方向に凹んで形成される
ことを特徴とする請求項１９に記載の仮想現実メガネ。
【請求項２２】
カバープレートをさらに備え、
前記カバープレートの前記メガネ本体に接近している一側は、前記収容空間に組み立てられる前記データ接続線の第２の接続部の表面と当接できる
ことを特徴とする請求項２１に記載の仮想現実メガネ。
【請求項２３】
前記第２の締結部は、前記外部電子機器の対応する端面と当接する当接部材を備え、前記当接部材は、前記外部電子機器と前記第２の締結部との間の摩擦力を増大させるように、前記外部電子機器に対向して設けられるいくつかの突起を備える
ことを特徴とする請求項１１に記載の仮想現実メガネ。
【請求項２４】
前記当接部材は、エチレン酢酸ビニル共重合体からなるゴム・プラスチック発泡材料、シリカゲル、エチレン酢酸ビニル共重合体のうちの少なくとも１つの材料から作製される
ことを特徴とする請求項２３に記載の仮想現実メガネ。
【請求項２５】
予め設けられた開孔内に位置する支持部材及び前記支持部材の底部に設けられる弾性素子を備える機器跳ね上げ構造をさらに備え、前記予め設けられた開孔は、前記メガネ本体の前記外部電子機器に対向する表面に位置し、
前記外部電子機器は、前記メガネ本体に締結される場合、前記支持部材に対して押圧して、前記弾性素子が歪みを発生し、前記支持部材の少なくとも一部が前記予め設けられた開孔内に退避するようになり、締結構造が前記外部電子機器に対する締結を解除した場合、前記弾性素子は、前記支持部材が前記予め設けられた開孔からはみ出すように駆動して、前記外部電子機器を支持できる
ことを特徴とする請求項１１に記載の仮想現実メガネ。
【請求項２６】
前記機器跳ね上げ構造は、前記第２の締結部の周辺の予め設けられた位置に設けられる
ことを特徴とする請求項２５に記載の仮想現実メガネ。
【請求項２７】
装用時に前記メガネ本体を前記ユーザの頭部に固定するための装用構造をさらに備え、
前記装用構造は、
ユーザの頭部に適合する環状構造を形成するように、両端がそれぞれ前記メガネ本体に着脱可能に接続される第１のバンドと、
開口が設けられたストッパを備える接続部と、
一端が前記メガネ本体に着脱可能に接続され、他端が前記接続部に接続される第２のバンドと、を備え、
前記第１のバンドは、前記ストッパにより前記第１のバンドに対して位置決めを行うように、前記開口を介して前記接続部の一側から他側まで挿通できる
ことを特徴とする請求項１に記載の仮想現実メガネ。
【請求項２８】
前記第１のバンド及び前記第２のバンドのうちの少なくとも１つは、弾性材料から作製される
ことを特徴とする請求項２７に記載の仮想現実メガネ。
【発明の詳細な説明】
【技術分野】
【０００１】
本発明は、端末技術分野に関し、特に仮想現実メガネに関する。
【背景技術】
【０００２】
仮想現実（Ｖｉｒｔｕａｌ  Ｒｅａｌｉｔｙ、ＶＲ）技術は、コンピュータシミュレーションシステムであり、シミュレーション環境を生成でき、３次元動的ビュー、エンティティ行動のインタラクション等の方法によって、ユーザに没入型アプリケーション体験を提供する。
【０００３】
関連技術において、仮想現実機能ユニットを備える仮想現実メガネを提供し、ユーザの携帯電話、タブレット等の外部電子機器により仮想現実コンテンツの再生を提供することによって、簡単で実行可能な仮想現実解決手段を提案した。
【０００４】
しかし、異なる外部電子機器の間の寸法、仕様、材料等が比較的に大きい差異が存在するので、電子機器に対して有効な位置決めを行うことができない場合、電子機器の使用中にジッタ、ガタつき等の現象が発生しやすく、ユーザの使用中における没入感に影響し、ひいては、ユーザに目眩等の不快感が発生されることもある。
【発明の概要】
【発明が解決しようとする課題】
【０００５】
本発明は、従来技術における不足点を解決するために、仮想現実メガネを提供する。
【課題を解決するための手段】
【０００６】
本発明の実施例によれば、仮想現実メガネが提供され、前記仮想現実メガネは、仮想現実コンテンツを再生するための外部電子機器と組立できるメガネ本体と、第１の端部に位置する第１の接続プラグと、第２の端部に位置する第２の接続プラグとを含むデータ接続線と、を備え、前記第１の接続プラグは、前記データ接続線と前記メガネ本体が着脱可能に接続されるように、前記メガネ本体における第１のインタフェースと結合し、前記第２の接続プラグは、前記外部電子機器の第２のインタフェースに適合される。
【０００７】
選択的に、前記メガネ本体は、ハウジングを備え、
ハウジングのユーザの顔を向いている表面は、第１の表面であり、ハウジングの前記外部電子機器を組み立てるための表面は、第２の表面であり、
前記第１のインタフェースは、ハウジングの側壁に位置する。
【０００８】
選択的に、前記ハウジングは、前記ハウジングの第１の表面側に形成される内部空間と前記ハウジングの第２の表面側に形成される外部とを導通する通気孔を備える。
【０００９】
選択的に、メガネ本体は、保護構造をさらに備え、
前記保護構造は、前記第１の表面と適合する貼合部と、ユーザの顔を向いている方向に沿って延在形成されたユーザの顔に適合する結合部と、を備える。
【００１０】
選択的に、前記保護構造は、緩衝性能を有する材質から作製される。
【００１１】
選択的に、前記データ接続線は、前記第１のインタフェースと前記第２のインタフェースとの間の離隔距離に適応するように、フレキシブル材料から作製される。
【００１２】
選択的に、前記メガネ本体のハウジングは、第１の溝を備え、前記第１のインタフェースは、前記第１の溝内に位置し、
前記データ接続線は、前記第１の端部に位置する第１の接続部と、前記第２の端部に位置する第２の接続部と、前記第１の端部と前記第２の端部との間に位置するデータ線本体と、を備え、
前記第１の溝は、前記第１の接続部及び前記データ線本体の少なくとも一部を収容できる。
【００１３】
選択的に、前記データ接続線は、前記第１の接続部及び前記データ線本体の少なくとも一部を少なくとも包み、前記第１の溝に適合する射出成型部品をさらに備える。
【００１４】
選択的に、前記第１の接続プラグが前記第１の端部と前記第２の端部との接続方向に垂直であり、前記第１のインタフェースが前記第１の溝の底部に位置することにより、前記第１の接続プラグが前記ハウジングの表面に垂直な方向に沿って前記メガネ本体に接続できるようになり、
又は、前記第１の接続プラグが前記第１の端部と前記第２の端部との接続方向に平行し、前記第１のインタフェースが前記第１の溝の側壁に位置することにより、前記第１の接続プラグが前記ハウジングの表面に平行な方向に沿って前記メガネ本体に接続できるようになる。
【００１５】
選択的に、前記データ接続線が前記メガネ本体に接続される場合、前記第１の接続部及び前記データ線本体の少なくとも一部の表面は、それぞれ前記メガネ本体のハウジングの表面と面一になる。
【００１６】
選択的に、前記外部電子機器を前記メガネ本体に締結するための締結構造をさらに備え、
前記締結構造は、第１の締結部、第２の締結部及び伝動部を備え、前記伝動部の両端は、前記第１の締結部及び前記第２の締結部のうちのいずれかの一方が予め設けられた方向に向けて移動する場合に、他方が前記予め設けられた方向の反対方向に向けて連動するように駆動できるように、それぞれ前記第１の締結部及び前記第２の締結部に結合される。
【００１７】
選択的に、前記第１の締結部及び前記第２の締結部は、それぞれラックを備え、前記ラックは、前記第１の締結部及び前記第２の締結部が連動を発生できるように、それぞれ前記伝動部の両端のギヤに噛合する。
【００１８】
選択的に、前記伝動部は、
前記第１の締結部と結合する第１の伝動部材と、
前記第２の締結部と結合する第２の伝動部材と、
前記第１の伝動部材及び前記第２の伝動部材に結合し、前記第１の締結部と前記第２の締結部との間に連動を発生するように、前記第１の伝動部材及び前記第２の伝動部材を連動させる第３の伝動部材と、を備える。
【００１９】
選択的に、前記第３の伝動部材は、前記第１の伝動部材及び前記第２の伝動部材とそれぞれ結合する第１の伝動軸及び第２の伝動軸と、前記第１の伝動軸及び前記第２の伝動軸と結合する結合素子と、を備え、ここで、前記第１の伝動軸と前記第２の伝動軸の回動方向は、相反である。
【００２０】
選択的に、前記結合素子は、
少なくとも１組の互いに噛合するベベルギヤセット及びモータのうちの少なくとも１つを備える
選択的に、前記データ接続線の第２の端部は、前記第１の締結部に着脱可能に接続され、ここで、前記第１の締結部と前記データ接続線の第１の端部との間の距離は、前記第２の締結部と前記データ接続線の第１の端部との間の距離より小さい。
【００２１】
選択的に、前記第１の締結部は、前記第２の接続プラグが予め設けられた最大傾斜開き角度と水平締結角度の間で回動するようにさせることができ、
前記第１の締結部は、前記水平締結角度で前記外部電子機器の前記第２のインタフェースを備える一端に対して締結を行うことができ、
前記第２の締結部は、前記外部電子機器における前記第２のインタフェースに対向して設けられる一端に対して締結を行うことができる。
【００２２】
選択的に、前記第１の締結部は、
前記水平締結角度で前記外部電子機器の一端に対して締結を行うことができる第１の締結台と、
前記第１の締結台が最大傾斜開き角度と水平締結角度の間で回動するように、前記第１の締結台とヒンジ接続され、且つ、前記第１の締結台が前記メガネ本体上で往復運動を行うように、前記メガネ本体における第１のシュータに対して摺動できる第１の可動板と、を備える。
【００２３】
選択的に、前記データ接続線は、前記第１の端部に位置する第１の接続部と、前記第２の端部に位置する第２の接続部と、前記第１の端部と前記第２の端部との間に位置するデータ線本体と、を備え、前記第１の締結部は、前記データ接続線の第２の接続部が前記第１の締結部に接続されるように、前記第２の接続部を収容するための収容空間を備える。
【００２４】
選択的に、前記第２の接続部は、第１の締結部と締結して組み立てられるように、前記収容空間と締り嵌めており、
又は、前記収容空間は、前記収容空間を形成する側壁に位置するバンプを備え、前記第２の接続部は、前記バンプに適合される第２の溝を備え、前記第２の接続部と前記第１の締結部とが前記バンプと前記第２の溝との嵌合によって締結組立を行うことができる。
【００２５】
選択的に、前記収容空間は、前記第１の締結部の前記メガネ本体から離れている表面が前記メガネ本体の内部に向く方向に凹んで形成される。
【００２６】
選択的に、前記仮想現実メガネは、カバープレートをさらに備え、
前記カバープレートの前記メガネ本体に接近している一側は、前記収容空間に組み立てられる前記データ接続線の第２の接続部の表面と当接できる。
【００２７】
選択的に、前記第２の締結部は、前記外部電子機器の対応する端面と当接する当接部材を備え、前記当接部材は、前記外部電子機器と前記第２の締結部との間の摩擦力を増大させるように、前記外部電子機器に対向して設けられるいくつかの突起を備える。
【００２８】
選択的に、前記当接部材は、エチレン酢酸ビニル共重合体からなるゴム・プラスチック発泡材料、シリカゲル、エチレン酢酸ビニル共重合体のうちの少なくとも１つの材料から作製される。
【００２９】
選択的に、前記仮想現実メガネは、
予め設けられた開孔内に位置する支持部材及び前記支持部材の底部に設けられる弾性素子を備える機器跳ね上げ構造をさらに備え、前記予め設けられた開孔は、前記メガネ本体の前記外部電子機器に対向する表面に位置し、
前記外部電子機器は、前記メガネ本体に締結される場合、前記支持部材に対して押圧して、前記弾性素子が歪みを発生し、前記支持部材の少なくとも一部が前記予め設けられた開孔内に退避するようになり、締結構造が前記外部電子機器に対する締結を解除した場合、前記弾性素子は、前記支持部材が前記予め設けられた開孔からはみ出すように駆動して、前記外部電子機器を支持できる。
【００３０】
選択的に、前記機器跳ね上げ構造は、前記第２の締結部の周辺の予め設けられた位置に設けられる。
【００３１】
選択的に、前記仮想現実メガネは、装用時に前記メガネ本体を前記ユーザの頭部に固定するための装用構造をさらに備え、
前記装用構造は、
ユーザの頭部に適合する環状構造を形成するように、両端がそれぞれ前記メガネ本体に着脱可能に接続される第１のバンドと、
開口が設けられたストッパを備える接続部と、
一端が前記メガネ本体に着脱可能に接続され、他端が前記接続部に接続される第２のバンドと、を備え、
前記第１のバンドは、前記ストッパにより前記第１のバンドに対して位置決めを行うように、前記開口を介して前記接続部の一側から他側まで挿通できる。
【００３２】
選択的に、前記第１のバンド及び前記第２のバンドのうちの少なくとも１つは、弾性材料から作製される。
【００３３】
上記の実施例から分かるように、本発明では、データ接続線が仮想現実メガネのメガネ本体から分離できるように、仮想現実メガネとデータ接続線とが着脱可能に接続され、これにより、ユーザは、異なるインタフェースタイプの外部電子機器に適合されるように、外部電子機器のインタフェースタイプに応じて仮想現実メガネに用いられるデータ接続線を交換でき、仮想現実メガネの汎用性を向上させる。
【００３４】
なお、前記一般的な記載及び後述の詳細な記載は、単なる例示的で解釈的な記載であり、本発明を限定しない。
【図面の簡単な説明】
【００３５】
ここの図面は、明細書に組み入れて本明細書の一部分を構成し、本発明に該当する実施例を例示するとともに、明細書とともに本発明の原理を解釈する。
【図１】一例示的な実施例に係る仮想現実メガネと外部電子機器との組立模式図である。
【図２】一例示的な実施例に係るデータ接続線の構造模式図である。
【図３】一例示的な実施例に係る仮想現実メガネの装用模式図である。
【図４】一例示的な実施例に係る電子機器の模式図である。
【図５Ａ】一例示的な実施例に係るデータ接続線の分解模式図である。
【図５Ｂ】一例示的な実施例に係る別のデータ接続線の分解模式図である。
【図５Ｃ】一例示的な実施例に係る別のデータ接続線の分解模式図である。
【図５Ｄ】一例示的な実施例に係るデータ接続線の側面模式図である。
【図５Ｅ】一例示的な実施例に係るデータ接続線の斜側面模式図である。
【図５Ｆ】一例示的な実施例に係るデータ接続線の断面模式図である。
【図６】一例示的な実施例に係る仮想現実メガネの部分分解模式図である。
【図７】一例示的な実施例に係る別の仮想現実メガネの部分分解模式図である。
【図８】一例示的な実施例に係る別の仮想現実メガネの分解模式図である。
【図９】一例示的な実施例に係るデータ接続線と第１の締結部との取付模式図である。
【図１０】一例示的な実施例に係る別のデータ接続線と第１の締結部との取付模式図である。
【図１１】一例示的な実施例に係る締結構造が外部電子機器を締結する模式図である。
【図１２】一例示的な実施例に係る締結構造が外部電子機器の締結を解除する模式図である。
【図１３】一例示的な実施例に係る仮想現実メガネを第１の角度から見た図である。
【図１４】一例示的な実施例に係る仮想現実メガネの伝動部の伝動概略図である。
【図１５】一例示的な実施例に係る締結構造が外部電子機器を締結する模式図である。
【図１６Ａ】一例示的な実施例に係る仮想現実メガネの部分分解模式図である。
【図１６Ｂ】一例示的な実施例に係る仮想現実メガネの部分分解模式図である。
【図１６Ｃ】一例示的な実施例に係る外部電子機器が組み立てられない場合の支持部材の状態模式図である。
【図１６Ｄ】一例示的な実施例に係る外部電子機器が組み立てられた後の模式図である。
【図１６Ｅ】一例示的な実施例に係る外部電子機器を取り外すプロセスの模式図である。
【図１６Ｆ】一例示的な実施例に係る外部電子機器を取り外すプロセスの模式図である。
【図１７】一例示的な実施例に係る当接部材の構造模式図である。
【図１８】一例示的な実施例に係る仮想現実メガネの構造分解模式図である。
【図１９】一例示的な実施例に係る接続部の構造模式図である。
【図２０】一例示的な実施例に係る仮想現実メガネの立体構造模式図である。
【図２１】一例示的な実施例に係る別の仮想現実メガネの構造分解模式図である。
【発明を実施するための形態】
【００３６】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００３７】
本発明に記載の用語は、特定の実施例を説明する目的で使用されるものに過ぎず、本発明を限定するものではない。本発明及び添付された特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の1つ又は複数の何れ又は全ての組み合わせを意味する。
【００３８】
また、本発明は、第１、第２、第３等の用語を使って各種の情報を説明するが、それらの情報は上記用語に限定されない。それらの用語は、同一種類の情報同士を区分するためのものに過ぎない。例えば、本発明の範囲から逸脱しない状況で、第１の情報を第２の情報と称しても良い。同じように、第２の情報を第１の情報と称してもよい。ここで使っている用語「……場合」は、上下文の意味によって、「……時」或いは「……と」又は「確定に応じる」に解釈されてもよい。
【００３９】
図１は、一例示的な実施例に係る仮想現実メガネと外部電子機器との組立模式図である。図１に示すように、当該仮想現実メガネ１００は、メガネ本体１と、データ接続線２と、を備え、ここで、当該メガネ本体１は、ユーザが当該仮想現実メガネ１００を着用した後に、外部電子機器２００が再生する仮想現実コンテンツを視聴できるように、仮想現実コンテンツを再生する外部電子機器２００と組立するために使用される。
【００４０】
図２に示すように、当該データ接続線２は、第１の端部Ａに位置する第１の接続プラグ２１と、第２の端部Ｂに位置する第２の接続プラグ２２と、を備えてもよく、ここで、第１の接続プラグ２１は、当該データ接続線２とメガネ本体１とが着脱可能に接続されるように、図３に示すメガネ本体１における第１のインタフェース１１と結合されることができ、第２の接続プラグ２２は、図４に示す外部電子機器２００の第２のインタフェース２０１に適合でき、これにより、データ接続線２を介して仮想現実メガネ１００と外部電子機器２００との間の信号接続を確立することができる。したがって、本実施例におけるデータ接続線２は、ユーザが第２のインタフェース２０１の仕様に応じて仮想現実メガネ１のために対応するタイプのデータ接続線２を配置できるように、メガネ本体１と迅速分解、分離を行うことができ、これにより、メガネ本体１は、異なるインタフェースの外部電子機器２００に適用でき、仮想現実メガネ１００の汎用性を向上させる。例えば、第２のインタフェース２０１の仕様がＵＳＢ  Ｔｙｐｅ−Ｃインタフェースである場合に、データ接続線２は、第２の接続プラグ２を選択してＵＳＢ  Ｔｙｐｅ−Ｃプラグの接続線とすることができる。さらに例えば、第２のインタフェース２０１の仕様がＬｉｇｈｔｉｎｇ（稲妻）（登録商標）インタフェースである場合に、データ接続線２は、第２の接続プラグ２を選択してＬｉｇｈｔｉｎｇプラグの接続線とすることができる。
【００４１】
図３に示す実施例では、メガネ本体１は、ハウジング１４を備えてもよく、当該ハウジング１４のユーザの顔を向いている表面は、第１の表面１２であり、外部電子機器２００が組み立てられる表面は、第２の表面１３であり、第１のインタフェース１１は、ユーザがデータ接続線２とメガネ本体１とを挿着又は分解することを容易にするように、ハウジング１４の側壁に位置してもよい。
【００４２】
例えば、ユーザが当該仮想現実メガネ１００を装用した後に、慣用の右手で当該データ接続線２を挿着又は分解することを容易にするように、大部分のユーザの操作習慣に応じて、第１のインタフェース１１をハウジング１４の外面の右側に設けてもよい。同様に、第１のインタフェース１１をハウジング１４の外面の左側又はハウジング１４の内面の左側又はハウジング１４の内面の右側等のいずれの位置に設けてもよい。
【００４３】
本発明の技術案では、仮想現実メガネ１００に用いられるデータ接続線２の具体的な構造を制限せず、実際には、いずれの構造のデータ接続線２は、メガネ本体１に適合するように、いずれも本発明の仮想現実メガネ１００に適用することができる。
【００４４】
一実施例では、図５Ａに示すように、データ接続線２は、第１の端部Ａに位置する第１の接続部２３と、第２の端部Ｂに位置する第２の接続部２４と、第１の端部Ａと第２の端部Ｂとの間に位置するデータ線本体２５と、を備えてもよい。当該第１の接続部２３、第２の接続部２４及びデータ線本体２５の間は、物理回線を介して電気的接続を実現する。当該第１の接続部２３の端部は、第１の接続プラグ２１を備え、第２の接続部２４の端部は、第２の接続プラグ２２を備える。ここで、データ線本体２５は、フレキシブル材料から作製されてもよく、或いは、データ接続線２全体は、いずれもフレキシブル材料から作製されてもよい、これにより、外部電子機器２００の外形寸法が異なることによる第１のインタフェース１１と第２のインタフェース２０１との間の離隔距離が変化する場合に、それに伴い、当該データ接続線２は、適応性歪みを発生する。例えば、図１に示す実施例では、外部電子機器２００の外形寸法が比較的大きいことによる第１のインタフェース１１と第２のインタフェース２０１との間の離隔距離が比較的小さい場合に、当該離隔距離に適応するように、データ接続線２が湾曲を発生することができる。
【００４５】
図５Ｂ及び図５Ｃに示すように、当該データ接続線２は、射出成形によって第１の接続部２３、第２の接続部２４及びデータ線本体２５を包む射出成型部品２６を得ることができ、このように、当該データ接続線２の内部回路を保護し、損傷確率を低減させることができ、一方、他の構造との適応性組立等を実現できる（以下、この点について詳述し、ここでは詳細な説明を省略する）。ここで、当該射出成型部品２６は、一回で射出成形されてもよく、複数回で射出成形されてもよい。射出成形後、図５Ｄに示すように、図５Ｄは、データ接続線２の正側面図である。図５Ｅに示すように、図５Ｅは、データ接続線２の斜側面図である。図５Ｆに示すように、図５Ｆは、データ接続線２の断面図である。本発明は、射出成形の方法を限定するものではなく、例えば、
一場合では、第１の接続部２３、第２の接続部２４及びデータ線本体２５をいずれも射出成形金型内に入れて、外部に包まれる射出成型部品２６を一回で成形することができる。
【００４６】
別の場合では、第１の接続部２３、第２の接続部２４及びデータ線本体２５をいずれも第１の金型内に入れて、第１の接続部２３、第２の接続部２４及びデータ線本体２５を少なくとも部分的に包む第１の射出成型部品２６１を形成し、単に第２の金型により射出して第１の射出成型部品２６１と適合される第２の射出成型部品２６２を得てから、第１の射出成型部品２６１と第２の射出成型部品２６２とを組み立てて射出成型部品２６を得ることができる。
【００４７】
さらに別の場合では、第１の接続部２３、第２の接続部２４及びデータ線本体２５をいずれも第１の金型内に入れて、射出を行って第１の射出成型部品２６１を得てから、第１の射出成型部品２６１の全体を第２の金型内に入れて、射出を行って第２の射出成型部品２６２を得て、直接に射出成型部品２６に成形することができる。
【００４８】
第１のインタフェース１１がハウジング１４の外面の右側に設けられる場合に、図６に示すように、メガネ本体１のハウジング１４の表面に第１の溝１４２が形成されてもよく、データ接続線２は、当該第１の溝１４２が第１の接続部２３及びデータ線本体２５の少なくとも一部を収容できるように、上記の実施例で形成した射出成型部品２６を介して当該第１の溝１４２と適合することができ、これにより、データ接続線２に対する収容及び位置決めを実現し、データ接続線２が乱れることを回避できる。第１のインタフェース１１は、当該第１の溝１４２内に位置してもよく、例えば、第１のインタフェース１１は、当該第１の溝１４２のハウジング１４の内側方向を向いている側面に位置する。そして、当該第１のインタフェース１１のインタフェース仕様は、データ接続線２の第１の接続プラグ２１の仕様と適合する。
【００４９】
さらに、データ接続線２がメガネ本体１に組み立てられた後に、第１の接続部２３及びデータ線本体２５の少なくとも一部の表面は、メガネ本体１のハウジング１４の表面と面一になることができ（図１に示すように）、このようにすると、データ接続線２とメガネ本体１との全体性の向上に有利であり、仮想現実メガネ１００の見栄えを向上させることができる。
【００５０】
本発明の技術案では、第１の溝１４２の構造及び第１のインタフェース１１の第１の溝１４２内における設置方法に基づいて、第１の接続プラグ２１と第１のインタフェース１１とが挿着結合する複数の方法を存在することができる。
【００５１】
一実施例では、図６に示すように、第１の溝１４２は、ハウジング１４の外面から当該ハウジング１４の内側に凹んで形成してもよい。当該第１の溝１４２の深さは、データ接続線２のデータ線本体２５の厚さに適合することができ、当該第１の溝１４２の幅は、データ接続線２のデータ線本体２５の幅に適合することができる。なお、当該第１の溝１４２の内側壁の形状は、さらにデータ接続線２のデータ線本体２５の一端の形状に適合することができる。第１のインタフェース１１は、第１の接続プラグ２１がハウジング１４の外面に垂直な方向に沿って当該第１のインタフェース１１と挿着されて、メガネ本体１に接続されるように、第１の溝１４２の当該深さ方向における底部に位置してもよい。いくつかの実施例では、第１の溝１４２の表面は、第１の接続プラグ２１が傾斜してハウジング１４の外面に垂直せずに第１のインタフェース１１に挿着できるように、傾斜状を呈してもよく、本発明は、当該第１の接続プラグ２３とハウジング１４の外面との間の角度関係を限定しない。対応的に、当該第１の溝１４２及び第１のインタフェース１１に結合されるために、第１の接続プラグ２１は、データ線本体２５がハウジング１４に平行する場合に、第１の接続プラグ２１がハウジング１４に垂直して第１のインタフェース１１と挿着されるように、第１の端部Ａと第２の端部Ｂとの接続方向に垂直してもよく（図６に示すデータ接続線２と図２、図５Ａ〜５Ｆに示す実施例とは一致し）、これにより、上記の「当該第１の溝１４２が第１の接続部２３及びデータ線本体２５の少なくとも一部を収容できるように」をできるだけ実現することができる。
【００５２】
別の実施例では、図７に示すように、第１の溝１４２は、ハウジング１４の外面から当該ハウジング１４の内側に凹んで形成されてもよい。当該第１の溝１４２の深さは、データ接続線２のデータ線本体２５の厚さに適合することができ、当該第１の溝１４２の幅は、データ接続線２のデータ線本体２５の幅に適合することができる。なお、当該第１の溝１４２の内側壁の形状は、さらにデータ接続線２のデータ線本体２５の一端の形状に適合することができる。第１のインタフェース１１は、第１の接続プラグ２３がハウジング１４の外面に平行な方向に沿って当該第１のインタフェース１１と挿着されて、メガネ本体１に接続されるように、第１の溝１４２の側壁に位置してもよい。いくつかの実施例では、第１の溝１４２の表面は、第１の接続プラグ２３が傾斜してハウジング１４の外面に平行せずに第１のインタフェース１１に挿着されるように、傾斜状を呈してもよく、本発明は、当該第１の接続プラグ２３とハウジング１４の外面との間の角度関係を限定しない。対応的に、当該第１の溝１４２及び第１のインタフェース１１に結合されるために、図８に示すデータ接続線２では、第１の接続プラグ２１は、データ線本体２５がハウジング１４に平行する場合に、第１の接続プラグ２１がハウジング１４に平行して第１のインタフェース１１と挿着されるように、第１の端部Ａと第２の端部Ｂとの接続方向に平行してもよく、これにより、上記の「当該第１の溝１４２が第１の接続部２３及びデータ線本体２５の少なくとも一部を収容できるように」をできるだけ実現することができる。
【００５３】
他の実施例では、第１のインタフェース１１は、第１の溝１４２の他の位置に位置してもよく、データ接続線２における第１の接続プラグ２１の位置及び構造は、適応的に変更してもよい、これにより、第１の接続プラグ２１が第１のインタフェース１１に組み立てられる場合に、上記の「当該第１の溝１４２が第１の接続部２３及びデータ線本体２５の少なくとも一部を収容できるように」をできるだけ実現することができる。
【００５４】
なお、上記の実施例では、第１のインタフェース１１がハウジング１４の外面の右側に位置することを例として説明したが、当業者は、第１のインタフェース１１がハウジング１４の外面の左側又は内面の右側、内面の左側等の他の位置に設けられる場合に、図６又は図７の方法を用いて設けることもできることを理解すべきであり、ここでは詳細な説明を省略する。
【００５５】
理解を容易にするために、以下の実施例では、いずれも上記の図２、図５Ａ〜５Ｆ及び図６に示す実施例におけるデータ接続線２を例として説明する。
【００５６】
データ接続線２の第２の接続プラグ２２と外部電子機器２００の第２のインタフェース２０１との組み立てに関しては、データ接続線２の第２の接続部２４をメガネ本体１における対応する構造に着脱可能に固定することで、第２の接続部２４のガタつきによる第２の接続プラグ２２と第２のインタフェース２０１との間の接続が不安定であることを回避できる。
【００５７】
一例示的な実施例では、仮想現実メガネ１００は、図８に示す締結構造３を備えてもよく、当該締結構造３は、第１の締結部３１及び第２の締結部３２を備え、第１の締結部３１及び第２の締結部３２により外部電子機器２００に対して両端から締結を行うことができ、締結後の状態は、図１を参照する。当該締結構造３については、以下の実施例で詳細に説明し、ここでは詳細な説明を省略する。データ接続線２の第２の接続部２４は、当該第１の締結部３１又は第２の締結部３２と結合して、メガネ本体１との着脱可能な固定を実現できる。
【００５８】
例えば、図９に示すように、第１の締結部３１は、第２の締結部３２と比較して、よりデータ接続線２に接近しているので、データ接続線２の第２の接続部２４は、当該データ接続線がメガネ本体１に着脱可能に固定できるように、第１の締結部３１と着脱可能に接続することができる。ここで、第１の締結部３１において収容空間３１１を形成することができ、当該収容空間３１１は、データ接続線２の第２の接続部２４を収容するためのものであり、そして、第２の接続部２４と接続する第２の接続プラグ２２は、第２のインタフェース２０１と組み立てるように、第１の締結部３１から突出すると共に、外部電子機器２００の対応端面に向くことができる。
【００５９】
一実施例では、まだ図９に示す実施例を例として、第２の接続部２４がフレキシブル材料から作製される場合、収容空間３１１の幅寸法が第２の接続部２４の幅寸法より僅かに小さくすることができ、この場合、第２の接続部２４と第１の締結部３１とは、第２の接続部２４と収容空間３１１との締り嵌めによって着脱可能に接続することができる。
【００６０】
別の実施例では、図１０に示すように、当該収容空間３１１を形成する側壁には、バンプ３１１１が延在形成されてもよい、対応的に、第２の接続部２４には、バンプ３１１１に適合する第２の溝２４１が形成されてもよい。第２の接続部２４が第１の締結部３１に組み立てられる場合に、バンプ３１１１と第２の溝２４１とが嵌合して、第２の接続部２４に対して固定及び位置決めを行い、第２の接続部２４と第１の締結部３１との間の接続を実現することができる。外力が第２の接続部２４に作用して、反対方向に沿ってバンプ３１１１と第２の溝２４１との間の嵌合を解除する場合に、当該第２の接続部２４を第１の固定部３１から分離させることができる。
【００６１】
上記の各実施例では、当該収容空間３１１は、第１の締結部３１のメガネ本体１から離れている表面がメガネ本体１の内部に向いている方向に凹んで形成してもよい。このように、メガネ本体１に向いている方向に沿ってデータ接続線２の第２の接続部２４に対して締結して組み立てを行うことができ、操作が便利である。
【００６２】
さらに、仮想現実メガネ１００は、図８に示すカバープレート４をさらに備えてもよく、当該カバープレート４は、メガネ本体１に着脱可能に接続されて、メガネ本体１に組み立てられる外部電子機器２００に対して遮蔽及び保護を行うことができる。ここで、当該カバープレート４のメガネ本体１に接近している一側（即ち、カバープレート４の内面）は、収容空間３１１に組み立てられるデータ接続線２の第２の接続部２４の表面（即ち、第２の接続部２４のカバープレート４に向いている外面）と当接することができ、これにより、当該カバープレート４の組み立て方向にデータ接続線２に対して位置決めを行って、第１の締結部３１に対する第２の接続部２４の運動を規制し、データ接続線２の第２の接続部２４が滑り抜けることを回避できる。
【００６３】
理解を容易にするために、以下、具体的な実施例を併せて締結構造３と外部電子機器２００との結合について説明する。
【００６４】
例えば、図１１に示すように、締結構造３の第１の締結部３１により外部電子機器２００の第２のインタフェース２０１を備える一端に対して締結を行うことができ、第２の締結部３２は、外部電子機器２００の上記の一端に対向している他端に対して締結を行う。ここで、第１の締結部３１とデータ接続線２の第１の端部Ａとの間の距離は、第２の締結部３２とデータ接続線２の第１の端部Ａとの間の距離よりも小さく、これにより、データ接続線２の第２の接続プラグ２２と外部電子機器２００の第２のインタフェース２０１との挿着を実現するように確保するとともに、データ接続線２の長さをできる限り短縮でき、データ接続線２が仮想現実メガネ１００の内部又は外部に乱れることを回避できる。
【００６５】
当該締結構造３は、伝動部３３をさらに備えてもよく、当該伝動部３３の両端は、それぞれ第１の締結部３１及び第２の締結部３２に結合することができ、図１２に示すように、第１の締結部３１及び第２の締結部３２のうちのいずれか一方が予め設けられる方向に沿って移動する場合、当該伝動部３３は、他方が当該予め設けられる方向の反対方向に向かって連動するように駆動でき、これにより、異なる仕様の電子機器に適用することができ、一方、データ接続線２の第２の接続プラグ２２と外部電子機器２００の第２のインタフェース２０１との間の挿着及び分離に有利であり、したがって、外部電子機器２００と仮想現実メガネ１００との分解及び分離を実現できる。
【００６６】
一実施例では、図１３に示すように、第１の締結部３１及び第２の締結部３２は、第４の伝動部材３１２及び第５の伝動部材３２１をそれぞれ備えてもよく、当該第４の伝動部材３１２及び第５の伝動部材３２１は、伝動部３３の両端の第１の伝動部材３３１及び第２の伝動部材３３２にそれぞれ結合する。このように、外力が第２の締結部３２に作用して、第２の締結部３２を図示されている矢印Ｃの方向に沿って運動させる場合、第５の伝動部材３２１は、第２の伝動部材３３２が回動するように駆動し、さらに、第１の伝動部材３３１が反対方向に回動するように駆動して、第４の伝動部材３１２を図示されている矢印Ｄの方向に沿って運動させることができる。これにより、第１の締結部３１及び第２の締結部３２は、互いに離れることができる。第２の締結部３２が矢印Ｃに示す方向の反対方向に沿って運動する場合、第１の締結部３１及び第２の締結部３２が互いに接近するようにさせることができる。外力が第１の締結部３１に作用して当該第１の締結部３１を移動させる場合に、第２の締結部３２を連動させることもでき、ここでは詳細な説明を省略する。
【００６７】
ここで、第４の伝動部材３１２及び第５の伝動部材３２１は、それぞれ第１の締結部３１及び第２の締結部３２に固定されるラックであってもよい、第１の伝動部材３３１及び第２の伝動部材３３２は、それぞれ当該ラックに噛合するギヤであってもよい。ここで、ラックの成形方法に応じて、それと第１の締結部３１又は第２の締結部３２との間は、複数の構造関係を用いることができ、第１の締結部３１に固定されるラックを例として、当該ラックは、ボルト、溶接、接着等の複数の方法によって第１の締結部３１に固定されるように、第１の締結部３１から独立して成形されてもよく、或いは、第１の締結部３１において直接に当該ラックを加工成形してもよい。第４の伝動部材３１２、第５の伝動部材３２１はいずれも上記のいずれの構造関係を用いることができ、両者に対応する構造関係は、同じであってもよく、異なってもよく、本発明は、これに対して限定をしない。
【００６８】
本実施例では、当該伝動部３３は、第１の伝動部材３３１及び第２の伝動部材３３２に結合される第３の伝動部材３３３をさらに備えてもよい。当該第３の伝動部材３３３は、第１の伝動部材３３１及び第２の伝動部材３３２が連動を発生するようにさせることができ、さらに、第１の締結部３１と第２の締結部３２との間に連動が発生されるようにさせることができる。
【００６９】
例えば、図１４に示すように、当該第３の伝動部材３３３は、それぞれ第１の伝動部材３３１及び第２の伝動部材３３２と結合される第１の伝動軸３３３１及び第２の伝動軸３３３２と、第１の伝動軸３３３１及び第２の伝動軸３３３２に結合される結合素子３３３３と、を備えてもよく、ここで、第１の伝動軸３３３１と第２の伝動軸３３３２との回動方向は、相反であり、これにより、第４の伝動部材３１２及び第５の伝動部材３２１が異なる方向に向かって運動するようにそれぞれ駆動して、第１の締結部３１と第２の締結部３２とが反対方向に向かって移動するようにさせる。
【００７０】
一実施例では、図１４の破線ブロックに示すように、当該結合素子３３３３は、第１のベベルギヤ３３３３Ａ及び第２のベベルギヤ３３３３Ｂからなる第１のベベルギヤセットと、第３のベベルギヤ３３３３Ｃ及び第４のベベルギヤ３３３３Ｄからなる第２のベベルギヤセットと、第２のベベルギヤ３３３３Ｂと第４のベベルギヤ３３３３Ｄとの間に接続される回動軸３３３３Ｅを備えてもよく、これにより、第１のベベルギヤセットと第２のベベルギヤセットとの間の噛合によって、運動を伝達するとともに、運動方向を変更して、第１の締結部３１と第２の締結部３２との間の並進連動を実現できる。もちろん、他の実施例では、当該結合素子３３３３は、３対ひいてはより多いベベルギヤセット及びそれらと噛合する回動軸を備えてもよく、本発明は、これに対して限定をしない。
【００７１】
別の実施例では、当該結合素子３３３３は、それぞれ第１の伝動軸３３３１及び第２の伝動軸３３３２と合わせる２つのモータを備えてもよい。この場合、仮想現実メガネ１００は、そのうちの１つのモータが作動状態にあることを検出した場合に、別のモータを起動状態に切り替えて、同一の期間で第１の締結部３１及び第２の締結部３２が運動するようにそれぞれ駆動できる。ここで、第１の伝動軸３３３１及び第２の伝動軸３３３２は、それぞれ対応するモータの動力出力軸であってもよい。或いは、モータが他の伝動構造によって第１の伝動軸３３３１又は第２の伝動軸３３３２にそれぞれ結合してもよい、本発明は、これに対して限定をしない。
【００７２】
本発明の実施例では、第２の接続プラグ２２に対する角度調節によって、外部電子機器２００に対する組み立てを容易にすることができる。図１５に示すように、外部電子機器２００が最終的に第２の表面１３に組み立てられる場合、外部電子機器２００におけるインタフェースと第２の接続プラグ２２は、いずれも水平締結角度にある。第２の接続プラグ２２の角度が調整不可能である場合、第２の接続プラグ２２は、常に水平締結角度を維持する。ユーザが外部電子機器２００のインタフェースと第２の接続プラグ２２とを挿着する場合、第２の締結部３２の阻害のため、外部電子機器２００は、第２の表面１３と予め設けられた夾角を維持する状態でのみ、第２の接続プラグ２２と挿着することができる。言い換えれば、外部電子機器２００が必ず当該第２の接続プラグ２２と一定の夾角をなすので、外部電子機器２００と第２の接続プラグ２２との挿着が困難になり、さらに、第２の接続プラグ２２が挿着する過程で折れられる等の場合を発生する恐れがある。
【００７３】
したがって、データ接続線２の第２の接続部２４と第１の締結部３１とが着脱可能に接続される場合、本発明は、第１の締結部３１の構造を改善することで、第２の接続プラグ２２が予め設けられた傾斜開き角度（即ち、図１５の破線に示す態様）を実現するようにさせることができ、これにより、第２の接続プラグ２２が外部電子機器２００に平行するまで回動された場合、第２の接続プラグ２２と外部電子機器２００におけるインタフェースとが平行に突き合わせることを確保でき、これにより、挿着が容易であるとともに、第２の接続プラグ２２が折れられる等の意図しない場合が発生することを有効に回避できる。
【００７４】
一例示的な実施例として、図１６Ａ、図１６Ｂに示すように、当該第１の締結部３は、互いにヒンジ接続される第１の締結台３１３及び第１の可動板３１４を備えてもよい、当該第１の締結台３１３は、予め設けられた最大傾斜開き角度と水平締結角度との間で第１の可動板３１４に対して回動できる。これにより、さらに第２の接続プラグ２２が予め設けられた最大傾斜開き角度と水平締結角度との間で回動するように駆動して、データ接続線２と外部電子機器２００との組立を容易にすることができる。ここで、第１の締結台３１３は、水平締結角度で外部電子機器２００の第２のインタフェース２０１を備える一端に対して締結を行うことができる。
【００７５】
本実施例では、第１の可動板３１４は、メガネ本体１における第１のシュート１６に対して摺動して、第１の締結台３１３がメガネ本体１に対して往復運動を行うように駆動することができ、この場合、第１の締結部３１と第２の締結部３２との間が図１１〜１３のいずれかの実施例に示す方法で伝動部３３を介して結合し、且つ、第２の締結部３２が第２のシュート１７に対して往復運動を行うことができる場合、第２の接続プラグ２２が水平移動及び水平方向に対して回動する２つの自由度を有するようにさせることができ、さらに、外部電子機器２００の組立及び分離を容易にする。
【００７６】
例えば、第１の可動板３１４の伝動部３３に向いている一側に伝動部３３と結合する第４の伝動部材３１２を設けてもよい、第１のシュート１６の対応する位置で開孔してもよい、これにより、第４の伝動部材３１２が当該開孔を介して伝動部３３における第１の伝動部材３３１と結合することができる。同様に、第２の締結部３２の伝動部３３に向いている一側に伝動部３３と結合する第５の伝動部材３２１を設け、第２のシュート１７の対応する位置で開孔してもよい、これにより、第５の伝動部材３２１が当該開孔を介して伝動部３３における第２の伝動部材３３２と結合することができる。
【００７７】
上記の各実施例では、当該第２の締結部３２は、外部電子機器２００の対応する端面と当接する当接部材３２２を備えてもよく、図１６Ｃ〜図１７に示すように、当該当接部材３２２は、外部電子機器２００と第２の締結部３２との間の摩擦力を増大させるように、当該外部電子機器２００に対向して設けられるいくつかの突起３２２１を備えてもよい。当該摩擦力の作用によって、第２の締結部３２に対する外部電子機器２００の運動を規制できる。さらに、当該当接部材３２２及び／又はいくつかの突起３２２１は、例えば、シリカゲル、エチレン酢酸ビニル共重合体、エチレン酢酸ビニル共重合体からなるゴム・プラスチック発泡材料等のような緩衝性能を有する材質で作製されてもよく、本発明は、これに対して限定をしない。緩衝性能を有する当接部材３２２及び／又はいくつかの突起３２２１により、外部電子機器２００のハウジングが磨耗されないように保護できる。ここで、いくつかの突起３２２１は、当接部材３２２に規則又は不規則的に配列される柱状体であってもよく、当接部材３２２に規則又は不規則的に配列されるストライプ状等の他の形状であってもよい。
【００７８】
図１６Ｂに示すように、外部電子機器２００の分解を容易にするために、本発明の仮想現実メガネ１００は、機器跳ね上げ構造５をさらに備えてもよい。当該機器跳ね上げ構造５は、予め設けられた開孔１８内に位置する支持部材５１及び支持部材５１の底部に設けられる弾性素子５２を備えてもよい。ここで、当該予め設けられた開孔１８は、メガネ本体１の外部電子機器２００に対向して設けられる表面に位置し、即ち、第２の表面１３に位置する。例えば、当該弾性素子５２は、ベース５２１及びばね５２２を備えてもよく、当該ベース５２１には1つの上部開口が設けられ、ばね５２２は、当該上部開口を介して当該ベース５２１内に置かれ、且つ、当該上部開口と当該予め設けられた開孔１８とが合わせることで、支持柱５１が当該予め設けられた開孔１８を挿通してからばね５２２に合わせ、支持柱５１及びばね５２２が予め設けられた開孔１８に沿って同期的に運動するようになり、これにより、外部電子機器２００に対する跳ね上げを実現できる。
【００７９】
図１６Ｃに示すように、外部電子機器２００が組み立てられない場合、支持部材５１は、少なくとも部分的に予め設けられた開孔１８から突出することができ、弾性素子５２には、ほとんど歪みが存在しない。図１６Ｄに示すように、外部電子機器２００が対応する表面に締結される場合、当該外部電子機器２００は、当該支持部材５１に対して押圧し、さらに、支持部材５１の底部の弾性素子５２は、圧力を受けて初期状態から圧縮状態に変化し、且つ、支持部材５１は、少なくとも部分的に当該予め設けられた開孔１８内に退避する。例えば、図１６Ｂに示す実施例では、ばね５２２が初期状態から圧縮されて、圧縮状態に変化すると理解される。図１６Ｅに示すように、締結構造３が当該外部電子機器２００に対する締結を解除した場合、当該弾性素子５２は、外部の付勢力がなくなるため、圧縮状態から徐々に初期状態まで回復し、例えば、図１６Ｂに示す実施例では、ばね５２２が圧縮状態から徐々に初期状態まで回復して、外部電子機器２００に向く反力を発生し、当該支持部材５１が当該予め設けられた開孔１８からはみ出すように駆動して、当該外部電子機器２００を支持し、これにより、外部電子機器２００と対応する表面との間に一定の夾角を形成し、ユーザが当該外部電子機器２００を分解及び取り外すことを容易にすると理解され、図１６Ｆに示すとおりである。
【００８０】
さらに、機器跳ね上げ構造５の外部電子機器２００に対する上向きの支持による第２の接続プラグ２２が第２の接続部２４に対して折り曲げることを回避するために、当該機器跳ね上げ構造５を第２の締結部３２の周辺の予め設けられた位置に設けてもよい。ここで、外部電子機器２００が跳ね上げられる過程でバランスを維持し、傾斜を回避するために、機器跳ね上げ構造５は、複数設けられてもよい。
【００８１】
本発明の技術案に基づいて、図１８に示すように、仮想現実メガネ１００は、メガネ本体１をユーザの顔に固定するための装用構造６をさらに備えてもよく、当該装用構造６は、第１のバンド６１、接続部６２及び第２のバンド６３を備えてもよい。ここで、当該第１のバンド６１の両端は、ユーザの頭部に適合する環状構造を形成するように、それぞれメガネ本体１に着脱可能に接続され、第２のバンド６３は、一端がメガネ本体１に着脱可能に接続され、他端が接続部６２に接続される。仮想現実メガネ１００が装用状態にある場合に、当該第１のバンド６１と第２のバンド６３とは、略垂直な状態を呈して、ユーザの仮想現実メガネ１００に対する安定な装用を確保できる。
【００８２】
図１９及び図２０に示すように、当該接続部６２は、ストッパ６２１を備えてもよく、当該ストッパ６２１には開口６２１１が設けられ、これにより、第１のバンド６１が接続部６２の一側で開口６２１１から挿入及び挿出するようにさせ、第１のバンド６１と第２のバンド６３との分離を実現することを容易にし、ユーザが当該仮想現実メガネ１００を装用するのに便利である。さらに、第１のバンド６１及び第２のバンド６３のうちのいずれかは、異なるユーザの頭部のサイズに適応するように、弾性材料から作製されてもよく、或いは、いずれも弾性材料から作製されてもよい。
【００８３】
図２１に示すように、当該仮想現実メガネ１００は、保護構造７をさらに備えてもよく、当該保護構造７は、メガネ本体１のユーザの顔を向いている表面と適合する貼合部７１と、ユーザの顔に向いている方向に沿って延在形成されたユーザの顔に適合する結合部７２と、を備えてもよい。ここで、当該保護構造７は、ユーザの使用快適性を向上させるように、緩衝性能を有する材質から作製されてもよく、貼合部７１は、接着又はマジックテープ（登録商標）の方法によって対応する表面に貼合してもよく、本発明は、これに対して限定をしない。
【００８４】
ここで、ハウジング１４は、通気孔１４１を備えてもよく、当該通気孔１４１は、仮想現実メガネ１００に対して放熱するように、ハウジング１４の内部空間とハウジング１４の外部を導通できる。
【００８５】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【００８６】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
2019527861.tif 000003
【図２】
2019527861.tif 000004
【図３】
2019527861.tif 000005
【図４】
2019527861.tif 000006
【図５Ａ】
2019527861.tif 000007
【図５Ｂ】
2019527861.tif 000008
【図５Ｃ】
2019527861.tif 000009
【図５Ｄ】
2019527861.tif 000010
【図５Ｅ】
2019527861.tif 000011
【図５Ｆ】
2019527861.tif 000012
【図６】
2019527861.tif 000013
【図７】
2019527861.tif 000014
【図８】
2019527861.tif 000015
【図９】
2019527861.tif 000016
【図１０】
2019527861.tif 000017
【図１１】
2019527861.tif 000018
【図１２】
2019527861.tif 000019
【図１３】
2019527861.tif 000020
【図１４】
2019527861.tif 000021
【図１５】
2019527861.tif 000022
【図１６Ａ】
2019527861.tif 000023
【図１６Ｂ】
2019527861.tif 000024
【図１６Ｃ】
2019527861.tif 000025
【図１６Ｄ】
2019527861.tif 000026
【図１６Ｅ】
2019527861.tif 000027
【図１６Ｆ】
2019527861.tif 000028
【図１７】
2019527861.tif 000029
【図１８】
2019527861.tif 000030
【図１９】
2019527861.tif 000031
【図２０】
2019527861.tif 000032
【図２１】
2019527861.tif 000033
【国際調査報告】
2019527861.tif 000034
2019527861.tif 000035
2019527861.tif 000036
2019527861.tif 000037